(57)【要約】    【課題】      ユーザの個人情報の流用、漏洩をなくして、ユーザのプライバシーを保護すると共に、情報提供者が、情報受信者の特徴や状況に応じた情報の提供を行い、情報受信者は、希望する情報を選択的に受信すること。    【解決手段】  適応度解析部１０３は、受信コンテンツのユーザへの適応度を解析する。情報記憶部１０４は、ユーザ情報１１４を記録している。ターゲット該当判定部１０５は、適応度情報のターゲット条件情報に含まれるユーザ特性やユーザ状況を含む受信コンテンツの受信者を特定するための情報である属性情報が、情報記憶部１０４内に記憶されたユーザ情報１１４に該当する否かを判定する。情報再生処理部１０６は、再生制御情報に基づきコンテンツを再生する機能を有する。  【選択図】      図１
2007019877.tif 000002
【特許請求の範囲】
【請求項１】
情報提供者が配信するコンテンツと前記コンテンツの受信者における前記コンテンツの適応の度合いを示す情報である適応度情報と前記コンテンツの受信者を特定するための情報である属性情報とを受信する情報受信手段と、
自局を識別するための情報であるユーザ情報を記録する情報記憶手段と、
前記適応度情報と前記属性情報と前記ユーザ情報とに基づいて再生するコンテンツを選択するターゲット該当判定手段と、
前記ターゲット該当判定手段にて選択されたコンテンツを再生する情報再生処理手段と、
を具備することを特徴とする情報端末装置。
【請求項２】
前記ターゲット該当判定手段は、前記属性情報が前記ユーザ情報に該当するか否かを判定するとともに、同一のコンテンツについて前記判定の結果により異なる適応度を設定した前記適応度情報より、実際の前記判定により選択した前記適応度の内で最も高い適応度のコンテンツを選択することを特徴とする請求項１記載の情報端末装置。
【請求項３】
情報提供者が配信するコンテンツと前記コンテンツの受信者における前記コンテンツの適応の度合いを示す情報である適応度情報と前記コンテンツの受信者を特定するための情報である属性情報とを受信する情報受信手段と、
自局を識別するための情報であるユーザ情報と前記コンテンツのカテゴリ毎の優先度の情報である前記ユーザ嗜好情報とを記録する情報記憶手段と、
前記適応度情報と前記属性情報と前記ユーザ情報と前記ユーザ嗜好情報とに基づいて再生するコンテンツを選択するターゲット該当判定手段と、
前記ターゲット該当判定手段にて選択されたコンテンツを再生する情報再生処理手段と、
を具備することを特徴とする情報端末装置。
【請求項４】
前記ターゲット該当判定手段は、前記属性情報が前記ユーザ情報に該当するか否かを判定するとともに、同一のコンテンツについて前記判定の結果により異なる適応度を設定した前記適応度情報より、実際の前記判定により選択した前記適応度に前記ユーザ嗜好情報の優先度を示す数値を乗算した結果が最も大きいコンテンツを選択することを特徴とする請求項３記載の情報端末装置。
【請求項５】
情報提供者が配信するコンテンツと前記コンテンツの受信者における前記コンテンツの適応の度合いを示す情報である適応度情報と前記コンテンツの受信者を特定するための情報である属性情報とを受信するステップと、
自局を識別するための情報であるユーザ情報を記録するステップと、
前記適応度情報と前記属性情報と前記ユーザ情報とに基づいて再生するコンテンツを選択するステップと、
選択された前記コンテンツを再生するステップと、
を具備することを特徴とするコンテンツ再生方法。
【請求項６】
情報提供者が配信するコンテンツと前記コンテンツの受信者における前記コンテンツの適応の度合いを示す情報である適応度情報と前記コンテンツの受信者を特定するための情報である属性情報とを受信するステップと、
自局を識別するための情報であるユーザ情報と前記コンテンツの所定のカテゴリ毎の優先度の情報である前記ユーザ嗜好情報とを記録するステップと、
前記適応度情報と前記属性情報と前記ユーザ情報と前記ユーザ嗜好情報とに基づいて再生するコンテンツを選択するステップと、
選択された前記コンテンツを再生するステップと、
を具備することを特徴とするコンテンツ再生方法。
【発明の詳細な説明】
【技術分野】
【０００１】
本発明は、情報端末装置及びコンテンツ再生方法に関し、特に、ユーザ特性やユーザ状況に応じて、放送的に配信されるコンテンツから最適なコンテンツを選択して再生するようにした情報端末装置及びコンテンツ再生方法に関する。
【背景技術】
【０００２】
従来より、情報配信サーバがユーザ情報を収集し、収集したユーザ情報に応じて、ユーザが所望すると思われるコンテンツを配信するシステムが提案されている（例えば、特許文献１）。また、コンテンツの受信側で、放送的に配信されるコンテンツをフィルタリングする技術も提案されている（例えば、特許文献２）。特許文献２は、受信すべきコンテンツの条件をメモリ内に設定しておき、前記条件に該当するコンテンツのみを受信するものである。
【特許文献１】特開２００１−２８２８３４号公報
【特許文献２】特開２００２−１７６４０３号公報
【発明の開示】
【発明が解決しようとする課題】
【０００３】
しかしながら、従来の装置においては、特許文献１では、ユーザは、個人情報を提供しなければならず、プライバシー情報の流用や漏洩が危惧されるという問題がある。また、従来の装置においては、特許文献２では、受信端末に、カテゴリ情報やキーワードを設定し、受信情報をフィルタリングできるものの、条件成立については受信側の解釈に任されており、必ずしも、受信側の特徴に応じた意図した通りの情報が受信できるとは限らないという問題がある。
【０００４】
本発明は、かかる点に鑑みてなされたものであり、ユーザの個人情報の流用、漏洩をなくして、ユーザのプライバシーを保護すると共に、情報提供者が、情報受信者の特徴や状況に応じた情報の提供を行い、情報受信者は、希望する情報を選択的に受信することができる情報端末装置及びコンテンツ再生方法を提供することを目的とする。
【課題を解決するための手段】
【０００５】
本発明の情報端末装置は、情報提供者が配信するコンテンツと前記コンテンツの受信者における前記コンテンツの適応の度合いを示す情報である適応度情報と前記コンテンツの受信者を特定するための情報である属性情報とを受信する情報受信手段と、自局を識別するための情報であるユーザ情報を記録する情報記憶手段と、前記適応度情報と前記属性情報と前記ユーザ情報とに基づいて再生するコンテンツを選択するターゲット該当判定手段と、前記ターゲット該当判定手段にて選択されたコンテンツを再生する情報再生処理手段と、を具備する構成を採る。
【０００６】
また、本発明の情報端末装置は、情報提供者が配信するコンテンツと前記コンテンツの受信者における前記コンテンツの適応の度合いを示す情報である適応度情報と前記コンテンツの受信者を特定するための情報である属性情報とを受信する情報受信手段と、自局を識別するための情報であるユーザ情報と前記コンテンツのカテゴリ毎の優先度の情報である前記ユーザ嗜好情報とを記録する情報記憶手段と、前記適応度情報と前記属性情報と前記ユーザ情報と前記ユーザ嗜好情報とに基づいて再生するコンテンツを選択するターゲット該当判定手段と、前記ターゲット該当判定手段にて選択されたコンテンツを再生する情報再生処理手段と、を具備する構成を採る。
【０００７】
本発明のコンテンツ再生方法は、情報提供者が配信するコンテンツと前記コンテンツの受信者における前記コンテンツの適応の度合いを示す情報である適応度情報と前記コンテンツの受信者を特定するための情報である属性情報とを受信するステップと、自局を識別するための情報であるユーザ情報を記録するステップと、前記適応度情報と前記属性情報と前記ユーザ情報とに基づいて再生するコンテンツを選択するステップと、選択された前記コンテンツを再生するステップと、を具備するようにした。
【０００８】
また、本発明のコンテンツ再生方法は、情報提供者が配信するコンテンツと前記コンテンツの受信者における前記コンテンツの適応の度合いを示す情報である適応度情報と前記コンテンツの受信者を特定するための情報である属性情報とを受信するステップと、自局を識別するための情報であるユーザ情報と前記コンテンツの所定のカテゴリ毎の優先度の情報である前記ユーザ嗜好情報とを記録するステップと、前記適応度情報と前記属性情報と前記ユーザ情報と前記ユーザ嗜好情報とに基づいて再生するコンテンツを選択するステップと、選択された前記コンテンツを再生するステップと、を具備するようにした。
【発明の効果】
【０００９】
本発明によれば、ユーザの個人情報の流用、漏洩をなくして、ユーザのプライバシーを保護すると共に、情報提供者が、情報受信者の特徴や状況に応じた情報の提供を行い、情報受信者は、希望する情報を選択的に受信することができる。
【発明を実施するための最良の形態】
【００１０】
本発明では、予め、情報端末装置のメモリ内にユーザ情報を記録しておき、情報提供者が配信するコンテンツを受信し、受信したコンテンツに含まれる当該コンテンツの属性情報を解析する。そして、解析した属性情報とメモリに記録されたユーザ情報とを比較し、
情報受信者に対する各コンテンツの適応度を抽出し、再生するコンテンツを選択する。このことにより、情報提供者が、情報受信者の特徴や状況に応じた情報の提供を行い、情報受信者は、希望する情報を選択的に受信するものである。
【００１１】
以下に、本発明の実施の形態について、図面を参照して詳細に説明する。
【００１２】
（実施の形態１）
図１は、本発明の実施の形態１に係る情報端末装置１００の構成を示すブロック図である。
【００１３】
本発明の情報端末装置１００は、送受信部１０１と、再生情報解析部１０２と、適応度解析部１０３と、情報記憶部１０４と、ターゲット該当判定部１０５と、情報再生処理部１０６とを備えている。
【００１４】
送受信部１０１は、放送情報の受信を含むデータの送受信を行う。
【００１５】
再生情報解析部１０２は、放送情報に含まれる後述する再生制御情報を解析する機能を有する。再生制御情報は、１以上のオーディオやビデオ等のメディアを再生するための再生メディア情報と、再生メディア情報の表示位置に関するレイアウト情報とを含む情報である。
【００１６】
適応度解析部１０３は、受信コンテンツのユーザへの適応度（ユーザへのお勧め度）を解析する機能を有する。ユーザへの適応度（ユーザへのお勧め度）は、再生制御情報の再生メディア情報の内の適応属性情報を介して、コンテンツの受信者におけるコンテンツの適応の度合いを示す情報である適応度情報を参照することで、情報提供者から提供されるようになっている。
【００１７】
情報記憶部１０４は、性別や年齢・年代等のユーザに関する情報であるとともに情報端末装置１００を識別するための情報であるユーザ情報１１４を記録する記憶部であり、フラッシュメモリ等のメモリ装置で構成されている。
【００１８】
ターゲット該当判定部１０５は、適応度情報のターゲット条件情報に含まれるユーザ特性やユーザ状況を含む受信コンテンツの受信者を特定するための情報である属性情報が、情報記憶部１０４内に記録されたユーザ情報１１４に該当する否かを判定する機能を有する。
【００１９】
情報再生処理部１０６は、再生制御情報に基づきコンテンツを再生する機能を有する。
【００２０】
従って、ターゲット該当判定部１０５にて、コンテンツに含まれる当該コンテンツの属性を示す属性情報と情報記録部１０４に記録されたユーザ情報とを比較した結果、属性情報がユーザ情報に該当する場合、情報再生処理部１０６は、当該属性情報のコンテンツを再生するようになっている。なお、適応度情報にターゲット条件情報が含まれない場合は、適応度情報のお勧め度情報に従って、コンテンツが選択される。
【００２１】
次に、情報端末装置１００が用いられる情報提供システム２５０の構成について、図２を用いて説明する。図２は、情報提供システム２５０の構成を示す図である。
【００２２】
本発明の情報提供システム２５０は、図２に示すように、データを送信する情報配信サーバ（放送サーバ）２００と、携帯電話機、ＰＤＡ（Personal Digital Assistant）等の複数の情報端末装置２０１〜２０３と、情報配信サーバ２００にインターネット２３０を経由してコンテンツを提供する複数の情報提供サーバ２１１〜２１３と、情報配信サーバ２００からのデータをコアネットワーク２２０を経由して受信し、このデータを情報端末装置２０１〜２０３に送信する基地局２２１〜２２３と、情報端末装置２０１〜２０３から情報提供サーバ２１１〜２１３への要求データを中継すると共に、情報提供サーバ２１１〜２１３から情報端末装置２０１〜２０３への応答データを中継するゲートウェイサーバ２１０とで構成されている。なお、情報端末装置２０１〜２０３、情報提供サーバ２１１〜２１３及び基地局２２１〜２２３のそれぞれの数は、本発明において、特に限定されるものではない。
【００２３】
次に、このように構成した情報端末装置１００のコンテンツ再生方法について、図３〜図６を用いて説明する。図３は、コンテンツ再生方法を示すフロー図であり、図４は、再生制御情報の一例を示す図であり、図５は、適応度情報の一例を示す図であり、図６は、ターゲット条件情報の一例を示す図である。
【００２４】
情報配信サーバ２００は、オーディオ、ビデオなどの複数のメディアから構成される再生メディア情報と、そのメディアの再生タイミングや表示位置などの情報を含む再生制御情報４００と、再生制御情報４００から参照される各メディアに対する推薦度情報を含む適応度情報５０１と、特徴的なユーザ特性やユーザ状況を指定するための属性情報であるターゲット条件情報６００とを含む放送情報を情報端末装置１００に対して配信する。
【００２５】
情報端末装置１００の送受信部１０１は、複数のメディア情報と、図４に示す再生制御情報４００と、図５に示す適応度情報５０１と、図６に示すターゲット条件情報６００とを含む配信情報を受信する（ＳＴ３０１）。
【００２６】
配信情報を受信すると、再生情報解析部１０２は、配信情報に含まれるメディアの再生方法を示す再生制御情報４００を抽出し、解析を行う（ＳＴ３０２）。
【００２７】
次に、適応度解析部１０３は、適応属性情報４５１で参照される図５に示す適応度情報（rating.xml）５０１を解析する（ＳＴ３０３）。
【００２８】
更に、ターゲット該当判定部１０５は、図５の適応度情報５０１のターゲット識別情報「target01」で参照される図６に示すターゲット条件情報６００を参照し、ターゲット条件情報６００の属性情報が、情報記憶部１０４に記録したユーザ情報１１４に該当するか否かを判定する（ＳＴ３０４）。
【００２９】
そして、ターゲット該当判定部１０５は、判定結果に従って、ユーザに最も適していると思われる最大適応度、即ち最も高い適応度のコンテンツを抽出し（ＳＴ３０５）、再生コンテンツを決定する（ＳＴ３０６）。図５の適応度情報の場合、「content02」のお勧め度が「０．８」であり、最も適応度が高いので、図４に示される再生制御情報４００では、参照情報４３１で参照されるオーディオ情報と、参照情報４３２で参照されるビデオ情報と、参照情報４３４で参照される第二のコンテンツ（content2.html）を同時に再生することを決定する。
【００３０】
そして、情報再生処理部１０６は、ＳＴ３０６で決定したコンテンツを再生する（ＳＴ３０７）。
【００３１】
次に、図４〜図６に基づき、本発明の情報端末装置１００で使用される再生制御情報４００について説明する。
【００３２】
図４より、再生制御情報４００は、オーディオ、ビデオなどの複数のメディアから構成される再生メディア情報４１２と、その再生メディアの再生タイミングや表示位置等の再生方法に関するレイアウト情報４１１とからなり、再生メディア情報４１２は、各メディアに対する推薦度情報（お勧め度）を判断するための適応属性情報４５１を含み、この適応属性情報４５１により、特徴的なユーザ特性やユーザ状況を指定するための属性情報であるターゲット条件情報６００を参照するように構成している。
【００３３】
以下に、更に具体的に、再生制御情報４００の構成を説明する。再生制御情報４００は、表示するメディアのレイアウト情報４１１と、再生するメディアへの参照情報４３１〜４３５を含む再生メディア情報４１２とで構成される。レイアウト情報４１１は、２つのレイアウト情報４２１、４２２からなる。再生メディア情報４１２は、制御情報４４１により、参照情報４３１、４３２にて示される各メディアを同時に再生すること、及び、選択情報４４２により、参照情報４３３〜４３５で示される３つのメディアの内、いずれか一つのメディアを選択することを示している。
【００３４】
従って、再生制御情報４００は、参照情報４３１で示されるオーディオ情報と、参照情報４３２で示されるビデオ情報と、参照情報４３３〜４３５で示されるコンテンツの内のいずれか一つのコンテンツとを同時に再生することを示している。
【００３５】
また、参照情報４３３〜４３５には、適応属性情報４５１が含まれており、適応属性情報４５１を介して、図５の適応度情報（rating.xml）５０１を参照して、ユーザに最も適したコンテンツを提供することが出来るようになっている。図５に示す適応度情報では、コンテンツ識別子がそれぞれ、「content01」、「content02」、「content03」で示される３つのコンテンツに関する適応度（ユーザへのお勧め度）を示している。第１のコンテンツ「content01」は、情報提供者によるお勧め度が「０．５」であることを示している。
【００３６】
又、第２のコンテンツには、情報提供者が指定するターゲット条件情報６００に該当する場合のコンテンツの適合度と、該当しない場合のコンテンツの適合度が示され、ターゲット条件情報６００に該当する場合、受信するコンテンツのお勧め度は「０．８」であり、該当しない場合、受信するコンテンツのお勧め度は「０．３」であることが示されている。第２のコンテンツは、ターゲット識別情報「target01」にて参照される図６に示すターゲット条件情報６００を有することが示されている。
【００３７】
図６に示すターゲット条件情報６００は、ターゲット条件情報６００を識別するターゲット識別情報６０１と、ユーザ属性情報６０２とで構成される。
【００３８】
ユーザ属性情報６０２は、年齢情報６１１と、性別情報６１２と、論理条件情報６２１とで構成され、図６の場合、年齢情報６１１と性別情報６１２と論理条件情報６２１とから、「年齢が３０代かつ女性」という条件が示されている。
【００３９】
ここで、情報端末装置１００の情報記憶部１０４には、情報端末装置１００の使用者のユーザ情報１１４を記録しており、年齢情報として「３５歳」と、性別情報として「女性」というユーザに関する情報を記録している場合、ターゲット該当判定部１０５は、情報記憶部１０４に記録されたユーザ情報１１４が、ターゲット条件情報６００のユーザ属性情報６０２に該当することを検出する。
【００４０】
従って、図５の適応度情報の場合、情報端末装置１００の情報記憶部１０４に、年齢情報として「３５歳」と、性別情報として「女性」というユーザ情報１１４を記録している場合、お勧め度が最大値である第２のコンテンツの再生が選択されることになる。
【００４１】
次に、情報端末装置１００の再生表示例を、図７に示す。
【００４２】
第一の表示領域７０１に参照情報４３２で参照されるビデオ情報が表示され、第二の表示領域７０２に参照情報４３４で参照されるコンテンツ（content02.html）が表示され、スピーカ７０３より参照情報４３１で参照されるオーディオ情報が出力される。
【００４３】
このように、本実施の形態１によれば、ユーザの個人情報の流用、漏洩をなくして、ユーザのプライバシーを保護すると共に、情報提供者が、情報受信者の特徴や状況に応じた情報の提供を行い、情報受信者は、希望する情報を選択的に受信することができる。
【００４４】
（実施の形態２）
実施の形態１では、配信されるコンテンツのお勧め情報と情報記憶部に記録されたユーザ情報に基づき、最適なコンテンツを選択するように構成したが、実施の形態２では、更に、ユーザのコンテンツへの興味度を加味して、コンテンツのお勧め度、即ち、適応度を算出するように構成している。
【００４５】
図８は、実施の形態２の情報端末装置８００の構成を示すブロック図である。
【００４６】
図８において、８１４は、情報記憶部１０４内に格納されている、コンテンツのカテゴリ毎の優先度の情報であるユーザ嗜好情報であり、このユーザ嗜好情報は、コンテンツのカテゴリ毎のユーザの興味度（評価値）を示している。
【００４７】
ターゲット該当判定部８０５は、ターゲット該当判定部１０５の機能に加え、図９の適応度情報９０１のカテゴリ情報に含まれるカテゴリが、情報記憶部１０４内に記録されたユーザ嗜好情報８１４に該当するか否かを判定する機能を有する。
【００４８】
図９の適応度情報は、図５の適応度情報に対して、カテゴリ情報をぞれぞれのコンテンツに対して付加したものであり、コンテンツ「content1.html」には「スポーツ」、コンテンツ「content2.html」には「芸能」、コンテンツ「conetnt3.html」には「経済」という属性情報であるカテゴリ情報が付加されている。
【００４９】
一方、情報端末装置８００の情報記憶部１０４には、図１０に示すユーザ嗜好情報８１４を、予め記録している。
【００５０】
図１０のユーザ嗜好情報は、カテゴリ情報と、各カテゴリに対するユーザの興味度である評価値とで構成され、カテゴリ情報として、「スポーツ」、「芸能」、「経済」の３つのカテゴリがあり、評価値は、それぞれ、「２」、「１」、「８」となっている。なお、評価値は、値が大きいほど、ユーザの興味が高いことを示す。
【００５１】
次に、実施の形態２における受信コンテンツの適応度（お勧め度）の算出方法について説明する。
【００５２】
お勧め度の算出方法は、実施の形態１で説明した方法に加え、各コンテンツに付随するカテゴリ情報を参照し、各コンテンツに対するユーザの興味度を算出する。
【００５３】
コンテンツ「content1.html」、「content2.html」、「content3.html」のカテゴリ情報は、それぞれ、「スポーツ」、「芸能」、「経済」であり、ユーザの評価値（興味度）は、それぞれ、「２」、「１」、「８」であるとする。
【００５４】
各コンテンツの適応度（Ａ）は、情報提供者のお勧め度（Ｂ）と、情報受信者の評価値（興味度）（Ｃ）との積、即ち、Ａ＝Ｂ×Ｃで算出する。
【００５５】
従って、コンテンツ「content1.html」のユーザの適応度は、「０．５ × ２ ＝ １」、コンテンツ「content2.html」の適応度は、「０．８ × １ ＝ ０．８」、コンテンツ「content3.html」の適応度は、「０．２ × ８ ＝ １．６」となり、コンテンツ「content3.html」の適応度が最大（１．６）となり、コンテンツ「content3.html」が再生するコンテンツとして優先して選択される。
【００５６】
このように、本実施の形態２によれば、上記実施の形態１の効果に加えて、ユーザ嗜好情報を用いてコンテンツを選択するようにしたので、よりユーザの好みにあったコンテンツを選択することができる。
【産業上の利用可能性】
【００５７】
本発明は、特に、ユーザ特性やユーザ状況に応じて、放送的に配信されるコンテンツから最適なコンテンツを選択して再生するようにした携帯電話機、携帯情報端末装置、ノート型パーソナルコンピュータ、無線ＬＡＮや有線ＬＡＮにより構築されたネットワーク上のパーソナルコンピュータ等の情報端末装置に好適である。
【図面の簡単な説明】
【００５８】
【図１】本発明の実施の形態１に係る情報端末装置の構成を示すブロック図
【図２】本発明の実施の形態１に係る情報提供システムを示す図
【図３】本発明の実施の形態１に係るコンテンツ再生方法を示すフロー図
【図４】本発明の実施の形態１に係る再生制御情報の一例を示す図
【図５】本発明の実施の形態１に係る適応度情報の一例を示す図
【図６】本発明の実施の形態１に係るターゲット条件情報の一例を示す図
【図７】本発明の実施の形態１に係る受信情報の表示の一例を示す図
【図８】本発明の実施の形態２に係る情報端末装置の構成を示すブロック図
【図９】本発明の実施の形態２に係る適応度情報の一例を示す図
【図１０】本発明の実施の形態２に係るユーザ嗜好情報の一例を示す図
【符号の説明】
【００５９】
１００  情報端末装置
１０１  送受信部
１０２  再生情報解析部
１０３  適応度解析部
１０４  情報記憶部
１０５  ターゲット該当判定部
１０６  情報再生処理部
【図１】
2007019877.tif 000003
【図２】
2007019877.tif 000004
【図３】
2007019877.tif 000005
【図４】
2007019877.tif 000006
【図５】
2007019877.tif 000007
【図６】
2007019877.tif 000008
【図７】
2007019877.tif 000009
【図８】
2007019877.tif 000010
【図９】
2007019877.tif 000011
【図１０】
2007019877.tif 000012